(57)【特許請求の範囲】
【請求項１】
利得可変手段と、
信号受信中に、前記利得可変手段の出力レベルが基準レベルと等しくなるように前記利得可変手段の利得を制御する利得制御手段とを有し、
前記利得制御手段は、
制御値を記憶する記憶手段を有し、
高速伝送された信号を受信した場合、その信号受信中に、前記利得可変手段の出力レベルが前記基準レベルと等しくなるように前記利得可変手段の利得を制御し、その時の制御値を前記記憶手段に記憶し、その高速伝送された信号の受信を終了した後の待機状態における前記利得可変手段の利得を、前記記憶手段に記憶された制御値によりホールドされるように、その高速伝送された信号を受信しているときの利得により設定し、
高速伝送されない信号を受信した場合、その信号受信中に、前記利得可変手段の出力レベルが前記基準レベルと等しくなるように前記利得可変手段の利得を制御し、その高速伝送されない信号の受信を終了した後の待機状態における前記利得可変手段の利得を、前記記憶手段に記憶された制御値によりホールドされるように、高速伝送されない信号が受信される前の値に戻すことを特徴とする無線通信装置。
【発明の詳細な説明】
【０００１】
【発明の属する技術分野】
本発明は、２つ以上の伝送速度を有する無線通信装置に関する。
【０００２】
【従来の技術】
無線通信では、伝播環境により受信信号レベルが変動するために、自動利得制御（ＡＧＣ）が通常行われている。このＡＧＣ回路は、従来、受信電界強度を計測し、その値を用いて、復調器に入力される受信信号レベルが一定になるように制御される。
【０００３】
従来、図５に示すようなＡＧＣ回路が提案されている。
【０００４】
図５では、アンテナ11にて受信した信号は、アンテナ共用器12、AGC回路14０を介して、復調器15０にて復調される。
【０００５】
ここで、AGC回路14０において、アンテナ共用器12より入力された受信信号は、利得可変回路141を通った後、利得制御部143により、利得可変回路141の利得を制御する。
【０００６】
利得制御部143は、パケットが受信されたときに利得可変回路１４１の利得をホールドする。利得制御部143は、次のパケットが検出されるまで、この利得をホールドしておく。
【０００７】
【発明が解決しようとする課題】
しかしながら、従来例では、低SNR（信号ノイズ比）環境下で受信した場合には、受信レベル測定値に雑音による誤差が大きくなる。
【０００８】
したがって、利得可変回路１４１の利得は、受信したパケットのレベルに応じて正しく設定されておらず、次パケット受信時のAGC引き込みに時間がかかるという問題点があった。
【０００９】
【課題を解決するための手段】
本発明は、利得可変手段と、信号受信中に、前記利得可変手段の出力レベルが基準レベルと等しくなるように前記利得可変手段の利得を制御する利得制御手段とを有し、前記利得制御手段は、制御値を記憶する記憶手段を有し、高速伝送された信号を受信した場合、その信号受信中に、前記利得可変手段の出力レベルが前記基準レベルと等しくなるように前記利得可変手段の利得を制御し、その時の制御値を前記記憶手段に記憶し、その高速伝送された信号の受信を終了した後の待機状態における前記利得可変手段の利得を、前記記憶手段に記憶された制御値によりホールドされるように、その高速伝送された信号を受信しているときの利得により設定し、高速伝送されない信号を受信した場合、その信号受信中に、前記利得可変手段の出力レベルが前記基準レベルと等しくなるように前記利得可変手段の利得を制御し、その高速伝送されない信号の受信を終了した後の待機状態における前記利得可変手段の利得を、前記記憶手段に記憶された制御値によりホールドされるように、高速伝送されない信号が受信される前の値に戻すことを特徴とする。
【００１１】
【発明の実施の形態】
図１は、本発明を実施した第１の無線通信装置の構成を表すブロック図である。
【００１２】
図１において、１１はアンテナ、１２はアンテナ共用器、１３は、送信回路、１４は、アンテナ共用器１２から出力される受信信号のレベルを制御して出力するＡＧＣ回路、１5は復調回路、１6はＡＧＣ回路１４からの出力信号のレベルを計測し、信号検出を行う受信信号検出回路、１７は復調回路１５の出力により、受信信号の伝送速度を判定する回路、１8は受信信号検出回路１６の出力に応じて、ＡＧＣ回路１４にＡＧＣ制御信号を出力するＡＧＣ制御回路である。ＡＧＣ制御回路１８は、伝送速度に応じてＡＧＣ回路１４を制御する。１８Ｍは、マイクロコンピュータであるＡＧＣ制御回路１８のプログラムなどを記憶したメモリである。
【００１３】
送信側では、複数の伝送速度のいずれかで信号を伝送する。すなわち、送信回路１３から、送信要求に応じて、伝送速度を切り替えて変調信号が出力される。
【００１４】
同じ占有帯域幅で、伝送速度を切り替える方法としては、２相、４相、８相などのn相位相変調方式、16QAM、64QAMなどのQAM（直交振幅変調）方式、スペクトラム拡散通信方式における符号分割多重方式などが挙げられる。
【００１５】
送信回路１３から出力される送信信号（パケット）は、アンテナ共用器１２を通して、アンテナ１１より、送出される。
【００１６】
ここで、アンテナ共用器１２は、スイッチ、または、上り回線と下り回線との周波数差に応じたフィルタにより、送受を切り替える。
【００１７】
一方、受信側では、アンテナ１１にて受信した信号はアンテナ共用器１２を通して、ＡＧＣ回路１４により、適宜レベル変換されて、復調回路１５に入力され、復調される。
【００１８】
また、ＡＧＣ回路１４の出力は、受信信号検出回路１６に入力され、所望のレベルの信号の有無あるいは、所望の信号パターンの有無を判定し、判定結果をＡＧＣ制御回路１８に出力する。
【００１９】
受信信号検出回路１６は、ＡＧＣ回路１４の出力レベルを計測する計測回路と、この計測回路の出力が所望のレベルより大きいか否かを検出する検出回路を有し、この検出結果を、所望の信号の有無としてＡＧＣ制御回路１８に出力する。
【００２０】
また、受信検出回路１６は、ＡＧＣ回路１４の出力と所望の信号との相関を検出する検出回路を有し、この相関の有無を、所望のパターンの信号の有無としてＡＧＣ制御回路１８に出力する。
【００２１】
また、復調回路１５からの復調信号は、伝送速度判定回路１７に入力される。復調回路１５は、複数の伝送速度に対応しており、その複数の伝送速度のいずれの速度の信号が受信された場合も復調することができる。伝送速度判定回路１７は、受信信号の伝送速度を判定し、判定結果をＡＧＣ制御回路１８に出力する。
【００２２】
受信信号が符号分割多重信号の場合、復調回路１５は、複数の逆拡散復調回路を有し、その複数の逆拡散復調回路のいくつから受信信号が出力されるかにより、受信信号の伝送速度を判定することができる。例えば、８個の逆拡散復調回路から受信信号が出力された場合、その伝送速度は、１個の逆拡散復調回路から受信信号が受信された場合の８倍である。そして、８個の逆拡散復調回路から受信信号が出力された場合、伝送速度が高速であると判定される。
【００２３】
また、伝送速度を手順信号に含めて、送信側から受信側に伝送するようにしてもよい。
【００２４】
ＡＧＣ制御回路１８では、受信信号検出回路１６からの信号に応じて、ＡＧＣ制御信号をＡＧＣ回路１４に出力する。
【００２５】
ＡＧＣ回路14は、例えば図２のように構成される。
【００２６】
図２において、受信信号は、利得可変回路21により、適宜レベル変換されて復調回路１５に出力される。さらに、レベル測定回路22にて利得可変回路21からの出力信号レベルを測定する。測定値は、利得制御回路23に入力され、利得制御回路23は、そのレベルが基準レベルと等しくなるように利得可変回路２１に対して制御信号を出力する。
【００２７】
また、利得制御回路23は、ＡＧＣ制御回路１８から出力されるＡＧＣ制御信号に応じて、利得可変回路21の制御信号の制御値を記憶回路24に格納したり、記憶回路24から読み出して利得可変回路21に出力する。
【００２８】
なお、受信信号検出回路１６は、レベル測定回路２２の出力を用いてレベルが所望のレベルより大きいか否かを検出し、この検出結果を、所望の信号の有無としてＡＧＣ制御回路１８に出力してもよい。
【００２９】
さて、図3に示されるＡＧＣ制御回路１８の動作を示すフローチャートを用いて受信動作について詳しく説明する。ＡＧＣ制御回路１８の動作プログラムは、メモリ１８Ｍに記憶されている。
【００３０】
まず、信号を受信していない時、すなわち、受信信号検出回路16にて、所望の信号が検出されていない時には（待機中）、ＡＧＣ回路１４が、記憶回路24に格納されている制御値にホールドされるように、ＡＧＣ制御回路１８は、ＡＧＣ回路１４にＡＧＣ制御信号を出力している（ Ｓ３０１）。
【００３１】
その後、受信信号検出回路16にて、受信レベルあるいは受信信号パターンにより所望の信号を受信したと判定されると、その旨をＡＧＣ制御回路18に伝える。
【００３２】
信号（パケット）が受信されたと判定されると（Ｓ３０２）、ＡＧＣ制御回路18は、ＡＧＣ回路14に対して、ホールドを解除して、利得制御を開始するように命令するＡＧＣ制御信号を出力する（Ｓ３０３）。
【００３３】
利得制御回路２３は、レベル測定回路２２により測定されたレベルが予め設定された所定値と等しくなうように利得可変回路２１の利得を制御する。
【００３４】
利得制御回路２３は、ホールドが解除されてから所定時間以内に利得制御を完了し、完了した時点で、その時の利得をホールドする。
【００３５】
その後、伝送速度判定回路17にて復調回路15により復調された信号より、伝送速度を判定し、その判定結果に基づいて、復調するとともに、判定結果は、ＡＧＣ制御回路18に出力される。
【００３６】
伝送速度判定回路１７にて高速伝送ではないと判定されたならば（Ｓ３０４）、復調回路１５が受信終了を検出すると（Ｓ３０５）、Ｓ３０１に戻り、待機状態になる。Ｓ３０１では、ＡＧＣ制御回路１８は、ＡＧＣ回路１４が、記憶回路２４に格納されている制御値にホールドされるように、ＡＧＣ回路１４にＡＧＣ制御信号を出力する。すなわち、利得可変回路２１の利得は、高速でない信号が受信される前の待機中の値に戻る。
【００３７】
一方、Ｓ３０４で、伝送速度判定回路17にて高速度伝送と判定されたならば、利得制御回路23が、所望信号受信中のある適当な時点の制御値を記憶回路24に格納するように、ＡＧＣ制御回路１８は、ＡＧＣ回路２４にＡＧＣ制御信号を出力する（Ｓ３０６）。
【００３８】
ここで、制御値を記憶回路24に格納するタイミングは復調回路15にて受信終了を検出すると同時、あるいは直後でもよい。
【００３９】
また、そのタイミングは、Ｓ３０４で高速伝送であると判定されたときでもよい。高速伝送であると判定されたときに制御値を記憶回路24に格納する場合、S３０５と同様に受信が終了すると、S３０１に戻る。
【００４０】
この制御値は、制御値を格納するときの利得可変回路２１の利得でもよいし、制御値を格納するときのレベル測定回路２２により検出されたレベルでもよい。制御値が利得可変回路２１の利得であれば、利得制御回路２３は、その制御値に利得可変回路２１の利得を設定する。また、制御値がレベル測定回路２２により検出されたレベルであれば、利得制御回路２３は、そのレベルが基準レベルになる様に利得可変回路２１の利得を設定する。
【００４１】
復調回路15にて受信終了を検出した後は、Ｓ３０１の待機状態に戻り、ＡＧＣ制御回路18からのＡＧＣ制御信号により、ＡＧＣ回路１４は、記憶回路24に格納されている制御値（Ｓ３０６のＡＧＣ制御信号により記憶回路２４に格納された制御値）にてホールドする。
【００４２】
すなわち、Ｓ３０４で高速伝送であると判断された場合、その高速伝送された信号を受信した後、利得可変回路２１の利得は、その高速伝送された信号を受信しているときの利得により決定される。（たとえば、そのまま保持される。）
【００４３】
なお、利得可変回路２１の利得がＧ１で受信待機中に、信号が受信され、その信号が高速で、その信号に応じて設定される利得がＧ２だった場合、Ｇ１とＧ２の平均値を、その高速の信号の受信を終了した後の利得可変回路２１の利得として記憶回路２４に記憶してもよい。
【００４４】
この様に、図３の動作においては、ＡＧＣ制御回路１８は、Ｓ３０４で高速伝送であると判定されたか否かに応じて、ＡＧＣ回路１４を制御する。ここで、伝送速度が低速と高速のいずれかである場合には、そのどちらであるかに応じて、ＡＧＣ回路１４を制御する。また、伝送速度が３通り以上あり、受信信号の伝送速度が中速だった場合には、Ｓ３０５に進むようにしてもよいし、Ｓ３０６に進むようにしてもよい。
【００４５】
さらに、図３の動作においては、Ｓ３０２において、信号が受信されたと判定された場合に、伝送速度に応じたＡＧＣ回路１４の制御を行なう。
【００４６】
図３のＳ３０６では、伝送速度判定回路17にて高速度伝送と判定されたならば、制御値を記憶回路24に格納した。
【００４７】
しかしながら、高速伝送と判定されなくても、電源投入またはリセット後、最初にＳ３０２で信号が受信されたと判定された場合には、受信信号が高速伝送でなくとも、制御値を記憶回路24に格納してもよい。
【００４８】
この様な受信動作の流れを図４に示す。この様に動作する無線通信装置の構成は、図１、図２と同様である。
【００４９】
図４では、Ｓ３１４において、電源投入またはリセット後、最初の1回目に限り、受信信号が高速伝送でなくとも、制御値を記憶回路24に格納する（Ｓ３０６）。
【００５０】
図４の動作においても、図３の動作と同様の作用効果があるが、さらに、電源投入またはリセット後、最初の1回目に限り、受信信号が高速伝送でなくとも、制御値を記憶回路24に格納することにより、電源投入またはリセット後に初期化された制御値が、雑音による多少の誤差はあるにせよ受信レベルの近傍にセットされるので、次回からのAGCの引き込み時間を短縮することができる。
【００５１】
高速な信号を受信する場合には、低速な信号を受信する場合よりも、オーバーヘッドが問題になる。本発明を実施することにより、伝送速度が高速な信号を受信した後は、その高速な受信信号の受信に適した利得が設定されるので、その後に高速な受信信号が受信された場合には、利得を高速に引き込むことができる。
【００５２】
【発明の効果】
以上説明したように、本発明によれば、受信された信号が高速伝送された信号の場合、利得可変手段には、高速伝送された信号を前回受信したときの利得が設定されているので、今回受信された信号のレベルに応じた利得制御を高速に達成することができる。
【図面の簡単な説明】
【図１】本発明を実施した無線通信装置のを示すブロック図である。
【図２】本発明を実施した無線通信装置のＡＧＣ回路を示すブロック図である。
【図３】本発明を実施した無線通信装置の第1の受信動作の流れを示す図である。
【図４】本発明を実施した無線通信装置の第2の受信動作の流れを示す図である。
【図５】従来の無線通信装置を示すブロック図である。
【符号の説明】
１４  ＡＧＣ回路
１６  受信信号検出回路
１７  伝送速度判定回路
１８  ＡＧＣ制御回路
１５  復調回路
２１  利得可変回路
２２  レベル測定回路
２３  利得制御回路
２４  記憶回
【図１】
0003745153.tif 000002
【図２】
0003745153.tif 000003
【図３】
0003745153.tif 000004
【図４】
0003745153.tif 000005
【図５】
0003745153.tif 000006